(57)【特許請求の範囲】
【請求項１】
複数の電子部品が配列されたトレイを収容するトレイ型部品供給ユニットと、
前記トレイ型部品供給ユニットの前記トレイ上の複数の前記電子部品を順次吸着し、吸着した前記電子部品を基板に装着する吸着ノズルと、
前記トレイの基準点に対する前記トレイ上の相対的な位置であって、前記吸着ノズルによる前記電子部品の吸着開始原点を設定する吸着開始原点設定手段と、
前記トレイの前記基準点に対する前記トレイ上の相対的な方向であって、前記吸着ノズルにより複数の前記電子部品を順次吸着していく吸着方向を設定する吸着方向設定手段と、
前記トレイ上の複数の前記電子部品を前記吸着開始原点から前記吸着方向に向かって前記吸着ノズルにより順次吸着していくノズル制御手段と、
前記吸着開始原点設定手段により設定された前記吸着開始原点および前記吸着方向設定手段により設定された前記吸着方向の設定状態が表示される設定表示画面を備える表示装置と、
を備える電子部品装着機。
【請求項２】
請求項１において、
前記トレイ型部品供給ユニットは、前記吸着開始原点から前記吸着方向に向かって前記トレイから一部の前記電子部品が取り除かれ残りの前記電子部品を配置している当該トレイを収容し、
前記電子部品装着機は、前記トレイにおける吸着開始位置を設定する吸着開始位置設定手段を備え、
前記ノズル制御手段は、前記吸着開始位置から前記吸着方向に向かって前記吸着ノズルにより順次吸着していく電子部品装着機。
【請求項３】
請求項１または２において、
前記吸着開始原点および前記吸着方向を視覚的に認識できる表示用テンプレートを、前記吸着開始原点設定手段により設定され得るそれぞれの前記吸着開始原点および前記吸着方向設定手段により設定され得るそれぞれの前記吸着方向に応じた複数個記憶する表示用テンプレート記憶手段と、
前記吸着開始原点設定手段により設定された前記吸着開始原点および前記吸着方向設定手段により設定された前記吸着方向に対応する前記表示用テンプレートを、前記設定表示画面に表示する表示制御手段と、
を備える電子部品装着機。
【請求項４】
請求項３において、
前記電子部品装着機は、操作者の指示に従って前記トレイの前記トレイ型部品供給ユニットへの収容方向を選択する選択手段を備え、
前記表示制御手段は、前記吸着開始原点設定手段により設定された前記吸着開始原点、前記吸着方向設定手段により設定された前記吸着方向および前記収容方向に対応する前記表示用テンプレートを前記設定表示画面に表示する電子部品装着機。
【請求項５】
請求項３において、
前記トレイ型部品供給ユニットは、収容された前記トレイの収容方向を検出し、
前記表示制御手段は、前記吸着開始原点設定手段により設定された前記吸着開始原点、前記吸着方向設定手段により設定された前記吸着方向および前記トレイ型部品供給ユニットにより検出された前記トレイの収容方向に対応する前記表示用テンプレートを前記設定表示画面に表示する電子部品装着機。
【発明の詳細な説明】
【技術分野】
【０００１】
本発明は、複数の電子部品が配列されたトレイにより電子部品を供給する電子部品装着機に関するものである。
【背景技術】
【０００２】
トレイにより電子部品を供給する電子部品装着機について、例えば、特開２００７−１９４５４９号公報（特許文献１）に記載されたものがある。特許文献１に記載の電子部品装着機は、トレイ上に配列された電子部品を吸着ノズルにより吸着し、基板に装着することが記載されている。そして、特許文献１には、トレイ全体に亘って電子部品が配列されていない場合に、トレイに配列されている電子部品の残数と格納位置を入力することにより、トレイ上の電子部品を作業者によって載せ替えることなく電子部品装着機により基板に電子部品を装着させることができるとされている。
【先行技術文献】
【特許文献】
【０００３】
【特許文献１】特開２００７−１９４５４９号公報
【発明の概要】
【発明が解決しようとする課題】
【０００４】
ところで、一般に、トレイに配列された電子部品をトレイ上においてどの位置からどの方向に吸着ノズルにより吸着するかは、電子部品装着機の種類に応じて、特にメーカー製に応じて異なる。そして、電子部品装着機のユーザーは、特定のメーカー製の電子部品装着機のみを購入するのではなく、複数のメーカー製の電子部品装着機を使い分けていることがある。このような場合に、ユーザーは、異メーカー製の電子部品装着機であっても、同一の電子部品を用いるような生産計画とすることがある。
【０００５】
そして、生産計画の進捗などによっては、あるメーカー製の電子部品装着機にてトレイ上の一部の電子部品を使用し、電子部品が残っているトレイを他のメーカー製の電子部品装着機に移動したい場合が生じる。このような場合には、トレイ上に残っている電子部品の配置が、移動させたい電子部品装着機でそのまま使用できない配列状態である可能性がある。そのため、作業者は、移動させたい電子部品装着機で使用可能な配列となるように、トレイ上の電子部品の配列を変更する必要が生じていた。
【０００６】
本発明は、このような事情に鑑みてなされたものであり、別の電子部品装着機にて一部の電子部品が取り除かれており複数の電子部品が残っているトレイを、電子部品の配列を変更することなく、そのまま使用することができる電子部品装着機を提供することを目的とする。
【課題を解決するための手段】
【０００７】
請求項１に係る発明は、複数の電子部品が配列されたトレイを収容するトレイ型部品供給ユニットと、前記トレイ型部品供給ユニットの前記トレイ上の複数の前記電子部品を順次吸着し、吸着した前記電子部品を基板に装着する吸着ノズルと、前記トレイの基準点に対する前記トレイ上の相対的な位置であって、前記吸着ノズルによる前記電子部品の吸着開始原点を設定する吸着開始原点設定手段と、前記トレイの前記基準点に対する前記トレイ上の相対的な方向であって、前記吸着ノズルにより複数の前記電子部品を順次吸着していく吸着方向を設定する吸着方向設定手段と、前記トレイ上の複数の前記電子部品を前記吸着開始原点から前記吸着方向に向かって前記吸着ノズルにより順次吸着していくノズル制御手段と、前記吸着開始原点設定手段により設定された前記吸着開始原点および前記吸着方向設定手段により設定された前記吸着方向の設定状態が表示される設定表示画面を備える表示装置とを備える。
【０００８】
請求項２に係る発明は、前記トレイ型部品供給ユニットは、前記吸着開始原点から前記吸着方向に向かって前記トレイから一部の前記電子部品が取り除かれ残りの前記電子部品を配置している当該トレイを収容し、前記電子部品装着機は、前記トレイにおける吸着開始位置を設定する吸着開始位置設定手段を備え、前記ノズル制御手段は、前記吸着開始位置から前記吸着方向に向かって前記吸着ノズルにより順次吸着していく。
【０００９】
請求項３に係る発明は、前記吸着開始原点および前記吸着方向を視覚的に認識できる表示用テンプレートを、前記吸着開始原点設定手段により設定され得るそれぞれの前記吸着開始原点および前記吸着方向設定手段により設定され得るそれぞれの前記吸着方向に応じた複数個記憶する表示用テンプレート記憶手段と、前記吸着開始原点設定手段により設定された前記吸着開始原点および前記吸着方向設定手段により設定された前記吸着方向に対応する前記表示用テンプレートを、前記設定表示画面に表示する表示制御手段とを備える。
【００１０】
請求項４に係る発明は、前記電子部品装着機は、操作者の指示に従って前記トレイの前記トレイ型部品供給ユニットへの収容方向を選択する選択手段を備え、前記表示制御手段は、前記吸着開始原点設定手段により設定された前記吸着開始原点、前記吸着方向設定手段により設定された前記吸着方向および前記収容方向に対応する前記表示用テンプレートを前記設定表示画面に表示する。
【００１１】
請求項５に係る発明は、前記トレイ型部品供給ユニットは、収容された前記トレイの収容方向を検出し、前記表示制御手段は、前記吸着開始原点設定手段により設定された前記吸着開始原点、前記吸着方向設定手段により設定された前記吸着方向および前記トレイ型部品供給ユニットにより検出された前記トレイの収容方向に対応する前記表示用テンプレートを前記設定表示画面に表示する。
【発明の効果】
【００１２】
請求項１に係る発明によれば、他メーカー製の電子部品装着機に対して、トレイ上の電子部品の吸着開始原点および吸着方向を一致させることができる。これにより、他メーカー製の電子部品装着機にて一部の電子部品が取り除かれており複数の電子部品がまだ残っているトレイを、電子部品の配列を変更することなく、本発明の電子部品装着機でそのまま使用することができる。つまり、同一の電子部品を複数の電子部品装着機にて使用する場合に、電子部品の配列を変更することなく、一部の電子部品が取り除かれたトレイ（使いかけのトレイ）を有効に利用することができる。
【００１３】
請求項２に係る発明によれば、一部の電子部品が残っているトレイを再利用する際に、当該電子部品装着機において、吸着ノズルが実際に吸着を開始する位置（吸着開始位置）を設定することができる。従って、一部の電子部品が残っているトレイを、電子部品の配列を変更することなく、確実に有効利用することができる。
【００１４】
請求項３に係る発明によれば、設定表示画面に該当する表示用テンプレートを表示するため、操作者は、現在のトレイ上の複数の電子部品がどこからどの方向に吸着されているのかを、視覚的に把握することができる。
【００１５】
請求項４に係る発明によれば、設定表示画面に表示される状態を、トレイ型部品供給ユニットへトレイを収容する方向の手前側からトレイを見た状態に一致させることができる。これにより、操作者は、当該電子部品装着機によりトレイ上の複数の電子部品がどこからどの方向に吸着されているのかを、より容易に視覚的に把握することができる。
【００１６】
請求項５に係る発明によれば、設定表示画面に表示される状態を、トレイ型部品供給ユニットへトレイを収容する方向の手前側からトレイを見た状態に自動的に一致させることができる。これにより、操作者は、当該電子部品装着機によりトレイ上の複数の電子部品がどこからどの方向に吸着されているのかを、より容易に視覚的に把握することができる。
【図面の簡単な説明】
【００１７】
【図１】電子部品装着機を示す斜視図である。
【図２】複数の電子部品が配列された状態のトレイの平面図である。
【図３】（ａ）は、吸着開始原点をＡとし、吸着方向をＸ方向とした場合の電子部品の吸着順序を示す。（ｂ）は、吸着開始原点をＢとし、吸着方向をＹ方向とした場合の電子部品の吸着順序を示す。
【図４】トレイにおける電子部品の吸着順序を示す表示用テンプレートである。
【図５】生産工場に複数の電子部品装着機が配置された状態の平面図である。矢印は、トレイの移動を示す。
【図６】（ａ）は、機械Ｍ１１で一部の電子部品を取り除いた使いかけのトレイを示し、（ｂ）は、使いかけのトレイを機械Ｍ６に移動した場合を示す図であり、このときの各種設定情報を示す。
【図７】主制御装置における初期設定処理を示すフローチャートである。
【図８】表示装置、表示制御手段および表示用テンプレート記憶手段についての機能ブロック図である。
【図９】表示装置に表示される設定表示画面を示す図である。
【図１０】吸着開始位置設定処理を示すフローチャートである。
【図１１】表示装置に表示される他の状態における設定表示画面を示す図である。
【図１２】表示装置に表示される他の状態における設定表示画面を示す図である。
【発明を実施するための形態】
【００１８】
（電子部品装着機の構成）
本実施形態の電子部品装着機１について、図１を参照して説明する。図１に示すように、電子部品装着機１は、回路基板３０に複数の電子部品Ｐを装着するための機械である。この電子部品装着機１は、単体として使用することもできるし、複数台並べて配置した生産ラインを構成することもできる。さらに、この電子部品装着機１は、トレイＴ上に配列された複数の電子部品Ｐの吸着順序を設定することができる。以下に、この電子部品装着機１について説明する。
【００１９】
電子部品装着機１は、基体１１と、一対のコンベア１２，１２と、Ｙスライド部１４と、Ｘスライド部１５と、装着ヘッド１６と、吸着ノズル１７と、表示装置１８と、トレイ型部品供給ユニット２０と、制御装置（図示せず）を備えて構成される。
【００２０】
基体１１は、電子部品装着機１のフレームを構成し、床上に固定される。この基体１１は、Ｘ方向の隣りに連続して設けられる他の電子部品装着機１（図示せず）の基体１１と連結可能な構成とされている。一対のコンベア１２，１２は、基体１１に固定され、コンベア１２の上面に載置された回路基板３０をＸ方向に搬送する。つまり、コンベア１２は、Ｘ方向の一方側に配置された電子部品装着機１からＸ方向の他方側に配置された電子部品装着機１へ向かって、回路基板３０を搬送する。そして、このコンベア１２が、Ｙ方向に並んで配置されている。
【００２１】
トレイ型部品供給ユニット２０は、電子部品装着機１のＹ方向一端部（図１の左手前側）に設けられ、複数段のトレイＴをＺ方向に積層した状態で収容している。なお、図１においては、一つのトレイＴのみを破線にて示す。それぞれのトレイＴ上には、図２に示すように、複数の電子部品Ｐが、Ｘ方向およびＹ方向に配列される。吸着に必要な電子部品Ｐを載せたトレイＴは、基体１１の内部へ移動し、当該トレイＴ上の電子部品Ｐが後述する吸着ノズル１７により順次吸着される。このトレイ型部品供給ユニット２０には、他メーカー製の電子部品装着機１００（図５に示す）にて一部の電子部品Ｐが取り除かれており複数の電子部品Ｐがまだ残っているトレイＴ（使いかけのトレイ）を、電子部品Ｐの配列を変更することなく挿入できる。このことについては、後に詳述する。
【００２２】
Ｙスライド部１４は、Ｙ方向に延びるように基体１１に設けられたＹ方向レールと、該Ｙ方向レールに沿って移動するＹ移動体と、Ｙ移動体を移動するためのＹ駆動部とを備える。Ｙ駆動部は、例えば、電気モータとボールねじの構成や、リニアモータなどにより構成される。つまり、Ｙスライド部１４のＹ駆動部の駆動により、Ｙスライド部１４のＹ移動体が基体１１に対してＹ方向レールに沿って移動する。
【００２３】
Ｘスライド部１５は、Ｘ方向に延びるようにＹスライド部１４のＹ移動体に設けられたＸ方向レールと、該Ｘ方向レールに沿って移動するＸ移動体と、Ｘ移動体を移動するためのＸ駆動部とを備える。Ｘ駆動部は、例えば、電気モータとボールねじの構成や、リニアモータなどにより構成される。つまり、Ｘスライド部１５のＸ駆動部の駆動により、Ｘスライド部１５のＸ移動体がＸ方向レールに沿って基体１１に対して移動する。従って、Ｘスライド部１５のＸ移動体は、基体１１に対して、Ｘ方向およびＹ方向に移動可能となる。
【００２４】
装着ヘッド１６は、Ｘスライド部１５のＸ移動体に、Ｚ方向に移動可能となるように設けられている。つまり、装着ヘッド１６は、基体１１に対して、Ｘ方向、Ｙ方向およびＺ方向に移動可能となる。詳細には、装着ヘッド１６は、トレイ型部品供給ユニット２０とコンベア１２上を搬送される回路基板３０との間を相対的に移動可能となる。この装着ヘッド１６の下端側には、１つまたは複数の吸着ノズル１７が交換可能に装着される。
【００２５】
吸着ノズル１７は、装着ヘッド１６の下端側に装着される。この吸着ノズル１７は、コンベア１２上を搬送される回路基板３０に対して複数の電子部品を装着するために、トレイＴに配列されている電子部品Ｐを順次吸着によって保持できる。つまり、装着ヘッド１６を基体１１に対してＸ方向およびＹ方向に移動させることで、トレイＴに収容される電子部品を回路基板３０へ吸着ノズル１７により搬送することができる。表示装置１８は、初期設定を行う際の表示、使いかけのトレイＴを使用する際の電子部品Ｐの吸着開始位置を設定する際の表示、および、その他種々の情報を表示する。
【００２６】
制御装置は、吸着ノズル１７の動作などを制御する主制御装置と、表示装置１８の表示を制御する表示制御手段とを備える。主制御装置は、後に詳述するが、吸着開始原点、吸着方向およびトレイ収容方向に関する初期設定を行う。主制御装置は、設定されたプログラムに従って、さらに設定された吸着開始原点および吸着方向に基づいて吸着ノズル１７などを動作させる（本発明の「ノズル制御手段」に相当する）。さらに、主制御装置は、使いかけのトレイＴをトレイ型部品供給ユニット２０に収容させた場合に、表示制御手段によって設定された吸着開始位置を記憶する。
【００２７】
また、表示制御手段は、使いかけのトレイＴをトレイ型部品供給ユニット２０に収容させた場合に、吸着開始位置を設定する際に、操作者に視覚的に容易に把握できる情報を表示装置１８に表示する。
【００２８】
（トレイの配列および電子部品の吸着順序の説明）
上述したように、本実施形態の電子部品装着機１は、トレイＴ上に配列された複数の電子部品Ｐの吸着順序を設定することができる。そこで、トレイＴに配列される電子部品Ｐが、吸着ノズル１７によりどのような順序で吸着されるかについて図２〜図４を参照して説明する。
【００２９】
図２に示すように、トレイＴは、ほぼ長方形形状に形成されている。このトレイＴの一角が面取りされている。面取形成されている一角「Ａ」は、トレイＴの基準点として定義する。そして、このように形成されるトレイＴは、規格化された形状であるため、全てのメーカー製の電子部品装着機１に対して適用可能となる。ただし、電子部品装着機１によって、トレイＴの挿入方向が異なる場合もある。
【００３０】
また、図２に示すように、例えばほぼ長方形形状に形成された複数の電子部品ＰがトレイＴ上に配列されている。ここで、トレイＴの長手方向（図２の左右方向）をＸ方向と定義し、トレイＴの短手方向（図２の上下方向）をＹ方向と定義する。つまり、図２には、電子部品ＰをＸ方向に５列、Ｙ方向に４列とした状態を図示している。なお、電子部品Ｐは異方性を有することがあるため、電子部品Ｐの一角にも面取りを形成したものとして図示している。
【００３１】
また、トレイＴの四隅のうち、面取形成されている基準点としての角部を「Ａ」とし、トレイＴの上面側から見て反時計回りに向かって順に位置する角部を、「Ｂ」「Ｃ」「Ｄ」と定義しておく。これら「Ａ」〜「Ｄ」を、吸着開始原点と称する。吸着開始原点は、トレイＴの基準点Ａに対するトレイＴ上の相対的な位置である。さらに、吸着開始原点は、トレイＴの全体に亘って電子部品Ｐが配列されているとした場合に、吸着ノズル１７により吸着を開始する初期位置を意味する。そして、本実施形態の電子部品装着機１では、吸着開始原点を「Ａ」〜「Ｄ」の四種類の中から選択して設定できる。
【００３２】
また、Ｘ方向およびＹ方向は、吸着方向と称する。吸着方向は、トレイＴの基準点「Ａ」に対するトレイ上の相対的な方向であって、吸着ノズル１７により複数の電子部品Ｐを順次吸着していく方向である。そして、本実施形態の電子部品装着機１では、吸着方向を「Ｘ方向」と「Ｙ方向」の二種類の中から選択して設定できる。
【００３３】
つまり、主制御装置は、トレイＴ上の複数の電子部品Ｐを吸着開始原点から吸着方向に向かって吸着ノズル１７により順次吸着しているように、吸着ノズル１７の移動を制御する。なお、本実施形態においては、吸着していく方向が走査状に一方向となる場合としている。ただし、吸着方向は、走査状に一方向に限定されるものではない。例えば、列が変わる度に往復に吸着するようにしてもよいし、外周から順次吸着するようにしてもよい。
【００３４】
ここで、吸着順序の例について図３（ａ）（ｂ）を参照して説明する。例えば、図３（ａ）に示すように、吸着開始原点を「Ａ」と設定し、吸着方向を「Ｘ方向」と設定した場合には、図示する数字の昇順に、順次、電子部品Ｐを吸着していく。つまり、最初に、「Ａ」の位置に最も近い位置の電子部品Ｐを吸着し、次にＸ方向に位置する電子部品Ｐを吸着していく。そして、Ｙ方向第一列（図３（ａ）の最下列）の電子部品Ｐが全て吸着済みとなると、次はＹ方向第二列の電子部品Ｐを順次吸着し、Ｙ方向第三列、Ｙ方向第四列の順に吸着していく。
【００３５】
また、別の例として、図３（ｂ）には、吸着開始原点を「Ｂ」と設定し、吸着方向を「Ｙ方向」と設定した場合を示す。この場合には、最初に、「Ｂ」の位置に最も近い位置の電子部品Ｐを吸着し、次にＹ方向に位置する電子部品Ｐを吸着していく。そして、Ｘ方向第一列（図３（ｂ）の最右列）の電子部品Ｐが全て吸着済みとなると、次はＸ方向第二列の電子部品Ｐを順次吸着し、Ｘ方向第三列、Ｘ方向第四列、Ｘ方向第五列の順に吸着していく。
【００３６】
本実施形態の電子部品装着機１では、上述したように、トレイＴにおいて、吸着開始原点は「Ａ」〜「Ｄ」の四種類の中から選択でき、吸着方向は「Ｘ方向」と「Ｙ方向」の二種類の中から選択できる。従って、図４の左欄に示すように、八種類の態様が存在する。ここで、上述したように、電子部品装着機１のトレイ型部品供給ユニット２０に挿入するトレイＴの向きは、トレイＴを正面から見て横長状態の場合とトレイＴを正面から見て縦長状態の場合が存在する。さらに、トレイＴの基準点の位置によって、横長状態であっても二種類存在し、縦長状態であっても二種類存在する。
【００３７】
これらを区別するために、トレイ収容方向「０°」「９０°」「１８０°」「２７０°」の四方向を定義する。トレイ収容方向「０°」の状態とは、トレイＴの基準点「Ａ」が右手前に位置する横長状態とし、トレイ収容方向「９０°」の状態とは、トレイＴの基準点「Ａ」が右奥に位置する縦長状態とし、トレイ収容方向「１８０°」の状態とは、トレイＴの基準点「Ａ」が左奥に位置する横長状態とし、トレイ収容方向「２７０°」の状態とは、トレイＴの基準点「Ａ」が左手前に位置する縦長状態とする。なお、手前および奥とは、操作者がトレイＴをトレイ型部品供給ユニット２０に挿入する場合に、操作者から見た位置を意味する。
【００３８】
つまり、四種類の吸着開始原点、二種類の吸着方向、および、四種類のトレイ収容方向の組み合わせは、図４に示すように、３２種類存在することになる。また、図４において、矢印は、視覚的に容易に把握できるようにするために、「Ｚ」字形状を用いている。さらに、この図４に示す３２種類のトレイＴを示す図は、後述する表示用テンプレート記憶手段５２に記憶される表示用テンプレートである。
【００３９】
（工場に当該電子部品装着機を設置した場合にトレイを移動する態様についての説明）
次に、あるユーザーの生産工場において、本実施形態の電子部品装着機１（Ｍ１〜Ｍ６）を複数設置し、他メーカー製の電子部品装着機（Ｍ７〜Ｍ１２）を設置した場合に、トレイＴの移動態様について図５および図６を参照して説明する。
【００４０】
図５には、本実施形態の電子部品装着機１（Ｍ１〜Ｍ３と図示する）を３台連結して生産ラインを構成し、本実施形態の電子部品装着機１（Ｍ４〜Ｍ６と図示する）を３台連結して生産ラインを構成し、他メーカー製の電子部品装着機１００（Ｍ７〜Ｍ９と図示する）を３台連結して生産ラインを構成し、他メーカー製の電子部品装着機１００（Ｍ１０〜Ｍ１２と図示する）を３台連結して生産ラインを構成する。つまり、一つの生産工場に、４つの生産ラインを構成している。
【００４１】
本実施形態の電子部品装着機１は、上述したように、吸着開始原点および吸着方向をそれぞれ選択でき、合計八種類の中から選択できる。一方、他メーカー製の電子部品装着機１００においては、吸着開始原点および吸着方向は、予め設定されており、変更不可の設定となっている。例えば、他メーカー製の電子部品装着機１００の吸着開始原点は、「Ａ」であり、吸着方向は、「Ｘ方向」として予め設定されているとする。
【００４２】
この場合、本実施形態の電子部品装着機１において、主制御装置による初期設定において、吸着開始原点を「Ａ」に設定し、吸着方向を「Ｘ方向」に設定する。つまり、本実施形態の電子部品装着機１の設定を、他メーカー製の電子部品装着機１００の変更不可の設定に合わせる。
【００４３】
例えば、他メーカー製の電子部品装着機１００（Ｍ１１）にて使用したトレイＴを、本実施形態の電子部品装着機１（Ｍ６）へ移動させる場合を考える。例えば、図６（ａ）に示すように、他メーカー製の電子部品装着機１００（Ｍ１１）にて使用されたトレイＴは、Ｙ方向第一列（最手前列）の全ての電子部品Ｐを取り除き、Ｙ方向第二列の二個の電子部品Ｐを取り除いた状態のものである。つまり、当該トレイＴは、トレイＴから一部の電子部品Ｐが取り除かれ残りの電子部品が配置されているトレイＴ（以下、「使いかけのトレイＴ」と称する）となる。
【００４４】
そして、図６（ｂ）の状態となった使いかけのトレイＴは、本実施形態の電子部品装着機１（Ｍ６）に移動される。ここで、本実施形態の電子部品装着機１の吸着開始原点および吸着方向を、電子部品装着機１００と同一に設定しているため、上記の使いかけのトレイＴを本実施形態の電子部品装着機１（Ｍ６）に移動した場合に、電子部品Ｐの配列を変更することなく使用可能となる。
【００４５】
ただし、使いかけのトレイＴであるため、設定された吸着順序においてトレイＴにおける電子部品Ｐの吸着開始位置を設定する必要がある。そこで、使いかけのトレイＴにおける吸着開始位置を（Ｘ，Ｙ）＝（３，２）に設定することで、図６（ｂ）に示す使いかけのトレイＴを本実施形態の電子部品装着機１に移動して使用することができるようになる。ここで、吸着開始位置についての説明は後述する。
【００４６】
（本実施形態の電子部品装着機の詳細説明）
（主制御装置による初期設定処理）
次に、本実施形態の電子部品装着機１の主制御装置における初期設定処理について図２、図３および図７を参照して説明する。図７に示すように、まず、吸着開始原点を、「Ａ」〜「Ｄ」の中から選択して設定する（ステップＳ１）（本発明の「吸着開始原点設定手段」に相当する）。吸着開始原点は、図２に示すように、トレイＴの基準点Ａに対するトレイＴ上の相対的な位置、すなわちトレイＴの四隅の何れかである。
【００４７】
続いて、吸着方向を「Ｘ方向」「Ｙ方向」の中から選択して設定する（ステップＳ２）（本発明の「吸着方向設定手段」に相当する）。吸着方向は、図３に示すように、トレイＴの基準点Ａに対するトレイＴ上の相対的な方向である。なお、図２において、吸着方向を「Ｘ方向」と選択した場合において、吸着開始原点として「Ａ」が選択されている場合には、角部「Ｄ」に向かう方向となる。逆に、吸着方向を「Ｘ方向」と選択した場合において、吸着開始原点として「Ｄ」が選択されている場合には、角部「Ａ」に向かう方向となる。このように、実際には、Ｘ方向には、Ｘプラス方向とＸマイナス方向が存在するが、両者を区別することなく一義的に決定されるため、両者を区別していない。
【００４８】
次に、トレイ収容方向、すなわち操作者がトレイ型部品供給ユニット２０にトレイＴを収容した方向を設定する（ステップＳ３）。ここでは、操作者自身が、収容した方向に一致する方向を設定する。そして、初期設定を終了する。
【００４９】
（表示制御に関する構成）
次に、トレイＴを他メーカー製の電子部品装着機１００から本実施形態の電子部品装着機１へ移動させた場合に、吸着開始位置を設定する際において、表示装置１８の表示態様およびその表示制御について、図８〜図１２を参照して説明する。図８に示すように、キーボード、マウス、タッチパネルなどの入力手段５１により操作者が入力すると、その情報および表示用テンプレート記憶手段５２に記憶されている表示用テンプレートに基づいて、表示制御手段５３が表示装置１８に表示する画面を制御する。
【００５０】
例えば、トレイ型部品供給ユニット２０の３段目のトレイ収容段に、使いかけのトレイＴを収容させた場合について説明する。表示装置１８に表示される画面のレイアウトは、図９に示すようなレイアウトとなる。表示装置１８の画面において、左側の「トレイ収容段」６１欄にはトレイ型部品供給ユニット２０のトレイ収容段を示す。そして、操作者によって選択された上から３段目のトレイ収容段がマーキングされている。
【００５１】
表示装置１８の画面の右上の「設定状態表示」６２欄には、現在設定されているトレイＴの状態が表示されている。具体的には、当該枠内のうち右側に、上から３段目のトレイ収容段に収容されているトレイＴに対応する表示用テンプレートが表示されている。当該表示用テンプレートは、初期設定処理において、設定された吸着開始原点、吸着方向およびトレイ収容方向に対応する表示用テンプレートである。ここでは、初期設定処理において、吸着開始原点を「Ａ」、吸着方向を「Ｙ方向」、トレイ収容方向を「０°」に設定された場合を示す。
【００５２】
「設定状態表示」６２欄の表示用テンプレートの下には、現在設定されている吸着開始位置の座標が表示される。吸着開始位置とは、トレイＴ上における電子部品Ｐを実際に吸着ノズル１７により吸着開始する位置である。例えば、全ての電子部品Ｐが残っている未使用状態のトレイＴの吸着開始位置は、（Ｘ，Ｙ）＝（１，１）となり、吸着開始原点に最も近い位置に位置する電子部品Ｐとなる。一方、使いかけのトレイＴの吸着開始位置は、残っている電子部品Ｐの配列によって異なる。
【００５３】
表示装置１８の画面の右上の「設定状態表示」６２欄の枠内のうち左側には、トレイＴの斜視図が表示され、吸着開始位置を黒塗りおよび矢印にて表示している。このトレイＴの斜視図は、「設定状態表示」６２欄の枠内のうち右側に表示している表示用テンプレートの右下側から見た状態を示している。
【００５４】
さらに、表示装置１８の画面の左右方向中央下側の「座標表示」６３欄には、現在のトレイＴの座標軸および最小最大座標を表示用テンプレートと共に表示している。最小座標となる（１，１）は、吸着開始原点として設定された「Ａ」の位置として表示される。また、本実施形態におけるトレイＴには、電子部品ＰがＸ方向に５列、Ｙ方向に４列配置されているため、最大座標は（Ｘ，Ｙ）＝（５，４）となる。また、「座標表示」６３欄に表示される表示用テンプレートは、表示装置１８の画面の右上の「設定状態表示」６２欄に表示される表示用テンプレートと同一ものとなる。
【００５５】
また、表示装置１８の画面の右下の「位置選択」６４欄には、操作者によって選択可能に吸着開始位置としてのＸ，Ｙ座標が表示されている。この「位置選択」６４欄におけるＸ座標およびＹ座標のそれぞれの左右矢印をタッチ操作することで、「位置選択」６４欄に表示されるＸ座標およびＹ座標を変更できる。この操作に伴って、表示装置１８の画面の「設定状態表示」６２欄に表示されている吸着開始位置がそれぞれ変更される。
【００５６】
例えば、図９に示すように、「位置選択」６４欄において吸着開始位置のＸ，Ｙ座標として（２，２）と選択されている場合には、「設定状態表示」６２欄の斜視図における黒塗りおよび矢印の位置が、座標（２，２）を示し、「設定状態表示」６２欄の表示用テンプレートの下の座標表示は、（２，２）と表示される。
【００５７】
以上のように、表示装置１８の画面に表示される表示内容は、表示制御手段５３により制御されている。そこで、表示制御手段５３による吸着開始位置設定処理について、図１０を参照して説明する。表示制御手段５３は、初期設定処理において設定された吸着開始原点、吸着方向およびトレイ収容方向に応じた表示用テンプレートを、表示装置１８の画面の「設定状態表示」６２欄、「座標表示」６３欄に表示する（ステップＳ１１）。同時に、選択された表示用テンプレートに対応するトレイＴの斜視図が、表示装置１８の画面の「設定状態表示」６２欄に表示される。
【００５８】
続いて、操作者によって「位置選択」６４欄のＸ，Ｙ座標が操作されたか否かを判定する（ステップＳ１２）。操作された場合には、画面変更処理を実行する（ステップＳ１３）。具体的には、「設定状態表示」６２欄の斜視図における黒塗りおよび矢印の位置の変更、および、「設定状態表示」６２欄のＸ，Ｙ座標の変更が行われる。
【００５９】
そして、画面変更後、または、操作者によって「位置選択」６４欄のＸ，Ｙ座標が操作されずに、決定ボタン６５がＯＮされると（ステップＳ１４）、現在設定されている吸着開始位置を記憶して（ステップＳ１５）、処理を終了する。一方、決定ボタン６５がＯＮされなければ、ステップＳ１２に戻り処理を繰り返す。
【００６０】
表示装置１８の画面の表示態様として他の例について、図１１および図１２に示す。図１１は、図９と同様に、初期設定処理において、吸着開始原点を「Ａ」、吸着方向を「Ｙ方向」、トレイ収容方向を「０°」に設定された場合を示す。さらに、「位置選択」６４欄において吸着開始位置のＸ，Ｙ座標として（１，３）に選択している。この場合、「設定状態表示」６２欄の斜視図における黒塗りおよび矢印の位置が、（Ｘ，Ｙ）＝（１，３）となるように表示され、「設定状態表示」６２欄の右側の座標が（１，３）と表示されている。
【００６１】
また、図１２は、初期設定処理において、吸着開始原点を「Ｃ」、吸着方向を「Ｙ方向」、トレイ収容方向を「９０°」に設定された場合を示す。さらに、「位置選択」６４欄において吸着開始位置のＸ，Ｙ座標として（２，３）に選択している。この場合、「設定状態表示」６２欄の斜視図における黒塗りおよび矢印の位置が、（Ｘ，Ｙ）＝（２，３）となるように表示され、「設定状態表示」６２欄の右側の座標が（２，３）と表示されている。
【００６２】
以上説明した電子部品装着機１によれば、他メーカー製の電子部品装着機１００に対して、トレイＴ上の電子部品Ｐの吸着開始原点および吸着方向を一致させることができる。これにより、他メーカー製の電子部品装着機１００にて一部の電子部品Ｐが取り除かれており複数の電子部品Ｐがまだ残っているトレイを、電子部品Ｐの配列を変更することなく、本実施形態の電子部品装着機１でそのまま使用することができる。つまり、同一の電子部品Ｐを複数の電子部品装着機１，１００にて使用する場合に、電子部品Ｐの配列を変更することなく、一部の電子部品Ｐが取り除かれたトレイＴ（使いかけのトレイ）を有効に利用することができる。
【００６３】
さらに、一部の電子部品Ｐが残っているトレイＴを再利用する際に、当該電子部品装着機１において、吸着ノズル１７が実際に吸着を開始する位置（吸着開始位置）を設定することができる。従って、一部の電子部品Ｐが残っているトレイＴを、電子部品Ｐの配列を変更することなく、確実に有効利用することができる。
【００６４】
また、表示装置１８の設定表示画面に該当する表示用テンプレートを表示するため、操作者は、現在のトレイＴ上の複数の電子部品Ｐがどこからどの方向に吸着されているのかを、視覚的に把握することができる。さらに、この設定表示画面に表示される表示用テンプレートは、トレイ型部品供給ユニット２０へトレイＴを収容する方向の手前側からトレイＴを見た状態に一致させることができる。これにより、操作者は、電子部品装着機１によりトレイＴ上の複数の電子部品Ｐがどこからどの方向に吸着されているのかを、より容易に視覚的に把握することができる。
【００６５】
（変形態様）
上記実施形態において、初期設定処理にて、トレイ収容方向を操作者が設定するものとした。この他に、トレイ型部品供給ユニット２０が、トレイＴの収容方向を自動的に検出することもできる。この場合、初期設定処理において、操作者はトレイ収容方向を設定する必要はない。そして、表示装置１８の画面の「設定状態表示」６２欄および「座標表示」６３欄において表示する表示用テンプレートは、初期設定処理において設定された吸着開始原点および吸着方向、並びにトレイ型部品供給ユニット２０により検出されたトレイ収容方向に対応する表示用テンプレートとなる。このように、当該変形態様によれば、表示装置１８の設定表示画面に表示される状態を、トレイ型部品供給ユニット２０へトレイを収容する方向の手前側からトレイＴを見た状態に自動的に一致させることができる。これにより、操作者は、電子部品装着機１によりトレイＴ上の複数の電子部品Ｐがどこからどの方向に吸着されているのかを、より容易に視覚的に把握することができる。
【符号の説明】
【００６６】
１，１００：電子部品装着機
１１：基体、  １２：コンベア、  １４：Ｙスライド部、  １５：Ｘスライド部
１６：装着ヘッド、  １７：吸着ノズル、  １８：表示装置
２０：トレイ型部品供給ユニット、  ３０：回路基板
５１：入力手段、  ５２：表示用テンプレート記憶手段、  ５３：表示制御手段
６１：トレイ収容段欄、  ６２：設定状態表示欄、  ６３：座標表示欄
６４：位置選択欄、  ６５：決定ボタン
Ｐ：電子部品、  Ｔ：トレイ
【図１】
0005615084.tif 000002
【図２】
0005615084.tif 000003
【図３】
0005615084.tif 000004
【図４】
0005615084.tif 000005
【図５】
0005615084.tif 000006
【図６】
0005615084.tif 000007
【図７】
0005615084.tif 000008
【図８】
0005615084.tif 000009
【図９】
0005615084.tif 000010
【図１０】
0005615084.tif 000011
【図１１】
0005615084.tif 000012
【図１２】
0005615084.tif 000013